(57)【要約】【課題】体毛を処理する際の肌への刺激を低減できる体毛処理機用外刃の提供。【解決手段】体毛処理機２００用の外刃１００であって、所定の間隔で並んで配置される矩形棒状の桟部１０１と、桟部１０１の肌面に当たる側の第一面部１１１から内刃２１０側の第二面部１１２に向かって四方が囲まれた状態で陥凹し、肌面に所定の効果を及ぼす物質である薬剤を保持可能な薬剤保持部とを備える。【選択図】図３
2018138157.tif 000002
【特許請求の範囲】
【請求項１】
本体の端部に取り付けられる体毛処理機用の外刃であって、
所定の間隔で並んで配置される矩形棒状の桟部と、
前記桟部の肌面に当たる側の第一面部から内刃側の第二面部に向かって四方が囲まれた状態で陥凹し、肌面に所定の効果を及ぼす物質である薬剤を保持可能な薬剤保持部と
を備える体毛処理機用の外刃。
【請求項２】
前記薬剤保持部は、前記桟部の長手方向において前記桟部の形状に沿って延在する
請求項１記載の体毛処理機用の外刃。
【請求項３】
前記薬剤保持部の深さ方向に垂直な面における面積は、前記第一面部側より前記第二面部側が小さい
請求項１または２に記載の体毛処理機用の外刃。
【請求項４】
前記薬剤保持部に充填された薬剤をさらに備える
請求項１から３のいずれかに記載の体毛処理機用の外刃。
【請求項５】
前記桟部の前記第一面部は、
幅方向において、中間部から端部のそれぞれに向かうに従い徐々に前記第二面部側に近づくように傾斜し、
前記薬剤保持部は、前記中間部に配置される
請求項１から４のいずれかに記載の体毛処理機用の外刃。
【請求項６】
前記桟部は２以上の屈曲部を備えるクランク形状を呈し、
前記薬剤保持部は、隣り合う屈曲部の間に配置される
請求項１から５のいずれかに記載の体毛処理機用の外刃。
【請求項７】
請求項１から６のいずれかに記載の体毛処理機用の外刃と、
前記外刃の内側に配置され、前記外刃と相対的に移動する内刃と、
前記外刃と前記内刃とを保持する本体と
を備える体毛処理機。
【請求項８】
前記外刃よりも厚さの薄い第二外刃をさらに備る
請求項７に記載の体毛処理機。
【請求項９】
前記外刃は、複数の前記第二外刃の間に挟まれた位置に配置される
請求項７または８に記載の体毛処理機。
【発明の詳細な説明】
【技術分野】
【０００１】
本発明は、電気かみそりなどの体毛処理機用の外刃、および、当該外刃を備えた体毛処理機に関する。
【背景技術】
【０００２】
体毛処理機は、本体部に電池などの電源部やモータなどの駆動部を内蔵し、端部に内刃および外刃からなる刃ブロックが取り付けられた構造であり、本体を把持して外刃を肌面に押し当てながら滑らせて、外刃の刃孔に取り入れた髭を内刃で切断するものである（例えば、特許文献１参照）。
【先行技術文献】
【特許文献】
【０００３】
【特許文献１】特許第４１４０５５８号公報
【発明の概要】
【発明が解決しようとする課題】
【０００４】
この種の体毛処理機においては、外刃を肌面に押し当てながら滑らせることにより、両者の間に摩擦が生じるため、いかに円滑に髭剃りができるかが課題となる。
【０００５】
本発明は、上記課題に鑑みなされたものであり、円滑に体毛を剃ることを可能とする体毛処理機用の外刃、および、体毛処理機の提供を目的とする。
【課題を解決するための手段】
【０００６】
本発明の１つである外刃は、本体の端部に取り付けられる体毛処理機用の外刃であって、所定の間隔で並んで配置される矩形棒状の桟部と、前記桟部の肌面に当たる側の第一面部から内刃側の第二面部に向かって四方が囲まれた状態で陥凹し、肌面に所定の効果を及ぼす物質である薬剤を保持可能な薬剤保持部とを備えている。
【０００７】
また、本発明の他の１つである体毛処理機は、所定の間隔で並んで配置される矩形棒状の桟部と、前記桟部の肌面に当たる側の第一面部から内刃側の第二面部に向かって四方が囲まれた状態で陥凹し、肌面に所定の効果を及ぼす物質である薬剤を保持可能な薬剤保持部とを備えている外刃と、前記外刃の内側に配置され、前記外刃と相対的に移動する内刃と、前記外刃と前記内刃とを保持する本体とを備える。
【発明の効果】
【０００８】
本発明によれば、外刃の肌面と接触する部分に薬剤保持部を設けたので、水やシェービングクリームなどの薬剤を保持し使用中に肌面と外刃との間に漏出させることができ、外刃と肌面との滑りを良好にして円滑な髭剃りなどが可能となる。
【図面の簡単な説明】
【０００９】
【図１】図１は、実施の形態１における体毛処理機を示す正面図である。
【図２】図２は、実施の形態１における固定刃の配置を示す斜視図である。
【図３】図３は、実施の形態１における外刃の一部を示す斜視図である。
【図４】図４は、実施の形態１における外刃および内刃の断面を肌とともに示す断面図である。
【図５】図５は、薬剤保持部を形成する工程を示す図である。
【図６】図６は、実施の形態２における外刃を示す斜視図である。
【図７】図７は、実施の形態２における薬剤保持部を含む桟部の断面図である。
【図８】図８は、薬剤保持部の別例を示す断面斜視図である。
【図９】図９は、薬剤保持部の別例を示す平面図である。
【発明を実施するための形態】
【００１０】
（体毛処理機用の外刃、および、体毛処理機が取り得る形態の一例）
本発明の１つである体毛処理機用の外刃は、本体の端部に取り付けられる体毛処理機用の外刃であって、所定の間隔で並んで配置される矩形棒状の桟部と、前記桟部の肌面に当たる側の第一面部から内刃側の第二面部に向かって四方が囲まれた状態で陥凹し、肌面に所定の効果を及ぼす物質である薬剤を保持可能な薬剤保持部とを備える。
【００１１】
これにより、外刃の肌面側の表面の薬剤保持部にフォームやジェルなどの薬剤が保持でき、薬剤保持部に保持された薬剤により外刃と肌面との間の摩擦を低減することができる。さらに陥凹状の薬剤保持部により、外刃の表面と肌との接触面積も減少する。以上から、体毛を処理する際の摩擦が減り、肌への負担を低減させることができる。
【００１２】
また、前記薬剤保持部は、桟部の長手方向に沿って延在する形状でもよい。
【００１３】
これによれば、四方を囲まれた薬剤保持部を、桟部に沿った溝形状とすることにより、薬剤の保持量を増加させることが可能となる。従って、より肌への負担を低減させることができる。
【００１４】
また、前記薬剤保持部の前記第一面部に平行な断面積は、前記第一面部側より前記第二面部側が小さくてもよい。
【００１５】
これによれば、薬剤保持部は肌面側が広く開口し、第二面部側の深い部分は狭い空間となっているため、外刃の表面と肌面との接触面積を抑制し、薬剤の保持量を確保しつつ、桟部の構造的強度を維持することができる。
【００１６】
また、前記薬剤保持部に充填された薬剤をさらに備えてもよい。
【００１７】
これによれば、薬剤保持部に水で溶け出すような固形の薬剤などを保持させることにより、肌に薬剤などを塗布することなく肌面との摩擦を抑制して肌への負担を低減することが可能となる。
【００１８】
また、前記桟部の前記第一面部は、幅方向において、中間部から端部のそれぞれに向かうに従い徐々に前記第二面部側に近づくように傾斜し、前記薬剤保持部は、前記中間部に配置されてもよい。
【００１９】
これによれば、第一面部が肌面側に凸となるため、肌面との接触状態が滑らかとなり肌への負担を軽減することができる。また、凸の頂点部分に薬剤保持部が配置されるため、薬剤保持部に保持された薬剤により外刃と肌面との間の摩擦を低減することが可能となる。
【００２０】
また、前記桟部は２以上の屈曲部を備えるクランク形状を呈し、前記薬剤保持部は、隣り合う屈曲部の間に配置されてもかまわない。
【００２１】
これによれば、外刃を動かす方向に交差するように薬剤保持部が配置されるため、薬剤による摩擦低減効果を効果的に発揮することができる。
【００２２】
また、本発明の１つである体毛処理機は、上記の外刃と、前記外刃の内側に配置され、前記外刃と相対的に移動する内刃と、前記外刃と前記内刃とを保持する本体とを備える。これによれば、肌に優しく高い起毛効果で効果的に体毛を剃ることができる。
【００２３】
また、前記外刃よりも厚さの薄い第二外刃をさらに備えてもよい。
【００２４】
これによれば、薬剤保持部に保持される薬剤による摩擦低減効果により、肌に対して滑らかに外刃と第二外刃とを移動させることができ、外刃で長い体毛を切断した後、第二外刃で体毛をさらに短く切断し、深剃りを実現することができる。
【００２５】
また、前記外刃は、複数の前記第二外刃の間に挟まれた位置に配置されてもよい。
【００２６】
これによれば肌に対し外刃を往復動させることでどちらの方向に移動させた場合でも同様の深剃り効果を得ることができる。
【００２７】
［実施の形態］
次に、本発明に係る体毛処理機用の外刃、および、体毛処理機の実施の形態について、図面を参照しつつ説明する。なお、以下の実施の形態は、本発明に係る体毛処理機用の外刃、および、体毛処理機の一例を示したものに過ぎない。従って本発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２８】
また、図面は、本発明を示すために適宜強調や省略、比率の調整を行った模式的な図となっており、実際の形状や位置関係、比率とは異なる場合がある。
【００２９】
（実施の形態１）
［体毛処理機］
図１は、実施の形態１における体毛処理機を示す正面図である。
【００３０】
図２は、固定刃の配置を示す斜視図である。
【００３１】
これらの図に示すように、本実施の形態にかかる体毛処理機２００は、いわゆる電気かみそりであって、本体２０２を人間の片手で把持し、外刃１００および第二外刃２０１（以下これらを総称して「固定刃」と記載する場合がある）を顔などの肌面に押し付けながら滑らせることで体毛である髭を切断（剃る）する装置である。体毛処理機２００は、固定刃のそれぞれの内側の面に沿って摺動する内刃２１０（図４参照）を備えている。
【００３２】
本体２０２は、内刃２１０を駆動する駆動装置、駆動装置に電源を供給する電源装置、これらを制御する制御装置を収容する。本実施の形態の場合、本体２０２は、電源スイッチ２０５、体毛処理機２００の状態を表示する表示部２０６などが設けられ、使用者が手に持つ部分である把持部２０３と、着脱自在に固定刃が取り付けられるヘッド部２０４とを備えており、ヘッド部２０４は把持部に２０３に対して自在に角度を変える（首を振る）ことができるものとなっている。ヘッド部２０４の内方に収容される駆動機構は、可動刃である内刃２１０と連結され、固定刃に対して往復動することができる。このように、体毛処理機２００は、固定刃の内面に摺接させた内刃２１０を、固定刃に対して相対的に変位させることによって、固定刃に設けられた刃孔１１０内に挿入された体毛を切断するように構成されている。
【００３３】
［内刃］
内刃２１０は、固定刃のそれぞれに対して少なくとも１つ備えられており、固定刃の内面に対して摺動することにより、固定刃に設けられた刃孔１１０に入り込んだ体毛を切断する部材である。内刃２１０の形状や動作態様は、固定刃との関係で定められるものであり特に限定されるものではないが、本実施の形態の場合、内刃２１０の形状は、固定刃のそれぞれの内面形状に合致したブレードを複数枚、固定刃の延在方向（図中Ｘ軸方向）に並べて配置された形状であり、内刃２１０の動作は、固定刃の延在方向に剃って固定刃のそれぞれに対して相対的に往復動するものである。
【００３４】
なお、内刃２１０は、外刃１００などの面に垂直な軸周りで回転する放射状に複数枚のブレードが配置された回転式の内刃２１０や、外刃１００などの面に平行な軸周りで回転する螺旋状のブレードを有するロータリー式の内刃２１０などであってもかまわない。
【００３５】
［第二外刃］
第二外刃２０１は、外刃１００よりも肉厚の薄い部材であり、外刃１００よりも体毛を短く切断するための部材である。本実施の形態の場合、第二外刃２０１は、多数の刃孔１１０が設けられた薄板を湾曲させたいわゆるネット刃であり、短い髭などの体毛を根元から剃る深剃りの機能を担っている。また、第二外刃２０１は、後述の外刃１００が備える陥凹状の薬剤保持部１０２を備えておらず、外刃１００を挟むようにして外刃１００の延在方向に平行に複数個（本実施の形態では４個）配置されている。
【００３６】
具体的には、内刃２１０の往復動する方向（図中Ｘ軸方向）と垂直な方向において中央位置に外刃１００が配置され、この外刃１００の両側位置にそれぞれ第二外刃２０１が配置されている。
【００３７】
［外刃］
図３は、外刃の一部を示す斜視図である。
【００３８】
同図に示すように、外刃１００は、体毛処理機２００の本体２０２の端部に取り付けられる部材であって、桟部１０１と薬剤保持部１０２を備えている。本実施の形態の場合、外刃１００は、第二外刃２０１で剃りにくい長く伸びた体毛を剃る部材でありスリット状の刃孔１１０と桟部１０１とが交互に平行に並んだいわゆるスリット刃である。
【００３９】
また、外刃１００を構成する材料は特に限定されるものではないが、マルテンサイト系ステンレス鋼などを例示することができる。外刃１００の厚さも限定されるものではないが、第二外刃２０１よりも肉厚に設定される。具体的に例えば、マルテンサイト系ステンレス鋼の場合では、外刃１００の厚みは０．１ｍｍ以上必要であり、好ましくは０．２ｍｍ以上である。また、体毛を剃るという観点から外刃１００の厚みは０．７ｍｍ以下が好ましい。
【００４０】
図４は、外刃および内刃の断面を肌とともに示す断面図である。
【００４１】
桟部１０１は、所定の間隔で並んで配置される矩形棒状の部分であり、相対的に摺動する内刃２１０と共に刃孔１１０に挿入される体毛を切断する部分である。本実施の形態の場合、桟部１０１は、２つの屈曲部１０３を備えたクランク状に屈曲しており、肌面４１０に触れる側の面である第一面部１１１は、幅方向（図中Ｘ軸方向）において、中間部から外方に向かうに従い徐々に内刃２１０側の第二面部１１２に近づくように傾斜している。また、第一面部１１１の端縁であるエッジ１１３は、第二面部１１２よりも外方に突出し、第一面部１１１の中間部分よりも第二面部１１２側に位置している。
【００４２】
桟部１０１のこのような形状により、エッジ１１３が肌面４１０に食い込むことを回避しつつ、肌面４１０に沿って生える体毛４０９を起毛して刃孔１１０に導入することが可能となる。また、桟部１０１がクランク状になっているため、いろいろな方向に生えている体毛でも効果的に起毛することが可能となる。
【００４３】
また、複数の桟部１０１は、桟部１０１が配置される面に対して起立し、桟部１０１の並び方向に延在する短冊状の枠部１０４に一体に接続されている。
【００４４】
［薬剤保持部］
薬剤保持部１０２は、桟部１０１の肌面に当たる側の第一面部１１１から内刃２１０側の第二面部１１２に向かって四方が囲まれた状態で陥凹し、肌面に所定の効果を及ぼす物質である薬剤を保持する有底の空間であり桟部１０１により形成される部分である。
【００４５】
ここで、四方が囲まれた状態とは、薬剤保持部１０２の開口を囲む桟部１０１の部分に隙間がないこと、つまり、所定の姿勢の薬剤保持部１０２に水などの流動性の高い液体を貯留した場合に、液体が流出する箇所がなく液体を保持し続けることができることを意味している。また、薬剤保持部１０２が保持する薬剤は、特に限定されるものではなく水も含むものである。具体的に例えば薬剤としては、外刃１００と肌面４１０との摩擦を軽減するいわゆるシェービングジェルやシェービングフォームのようなもの、肌に潤いを与えたり肌の荒れを防止したりする薬効成分を含んだものを挙示することができる。
【００４６】
薬剤保持部１０２の数は特に限定されるものではなく、１つの桟部１０１に１つの薬剤保持部１０２が設けられていてもよく、複数の薬剤保持部１０２が設けられてもよい。また、全ての桟部１０１に薬剤保持部１０２が存在しても良く、薬剤保持部１０２が設けられていない桟部１０１が存在してもかまわない。
【００４７】
薬剤保持部１０２の形状も特に限定されるものではなく、円形や矩形など任意の形状を採用することができる。
【００４８】
本実施の形態の場合、薬剤保持部１０２は、全ての桟部１０１にそれぞれ１箇所設けられており、より多くの薬剤を保持することができるものとなっている。また、薬剤保持部１０２は、桟部１０１の長手方向に沿って２つの隣り合う屈曲部１０３に跨がるように延在しており、第一面部１１１の中間部の突出部分に配置されている。これにより、１つの薬剤保持部１０２に多くの薬剤を保持させることができる。また、肌面４１０に押し付けられる部分に開口しているため、保持した薬剤を効果的に利用することが可能となる。また、第一面部１１１に垂直な方向で見た薬剤保持部１０２の形状（図中ＸＹ平面における形状）は、桟部１０１に沿ったクランク状の形状となっており、肌面４１０に対して複数の異なる方向に外刃１００を滑らせた場合でも保持した薬剤を有効に利用することが可能となる。また、薬剤保持部１０２の深さ方向（図中Ｚ軸方向）に垂直な面（図中ＸＹ平面）における面積は、第一面部１１１側より第二面部１１２側が小さくなっている。具体的には、図４に示すように、桟部１０１の幅方向（図中Ｚ軸方向）における薬剤保持部１０２の幅は、第一面部１１１側（開口側）から第二面部１１２側（底側）に行くに従い徐々に短くなっている。これによれば、薬剤を保持する体積を十分に確保しつつ桟部１０１の構造的強度を確保することが可能となる。
【００４９】
［製法例］
桟部１０１に薬剤保持部１０２を形成する方法は、特に限定されるものではない。例えば、図５に示すように、尖った先端部３１０を有する工具３０１を用い、基台３０２に載置された桟部１０１に対しパンチ加工により矩形棒状の桟部１０１を塑性変形させて形成してもかまわない。また、切削加工、レザー加工、放電加工、エッチングなどにより桟部１０１の一部を切除することにより形成してもかまわない。さらに、電鋳加工など桟部１０１の形成と共に形成してもかまわない。
【００５０】
（実施の形態２）
続いて、外刃１００の他の実施の形態について説明する。なお、前記実施の形態１と同様の作用や機能、同様の形状や機構や構造を有するもの（部分）には同じ符号を付して説明を省略する場合がある。また、以下では実施の形態１と異なる点を中心に説明し、同じ内容については説明を省略する場合がある。
【００５１】
図６は、実施の形態２における外刃を示す斜視図である。
【００５２】
図７は、実施の形態２における薬剤保持部を含む桟部の断面図である。
【００５３】
これらの図に示すように、外刃１００は、桟部１０１に設けられた薬剤保持部１０２に充填された薬剤を備えている。本実施の形態の場合、薬剤保持部１０２は、保持する薬剤１０９の量を多くするため第一面部１１１から第二面部１１２に至るまで薬剤保持部１０２の幅はほぼ一定となっている。
【００５４】
薬剤１０９は特に限定されるものではないが、体毛処理機２００を使用していない状態（例えば、温度：２０℃、相対湿度：６５％、気圧：１０１３ｈＰａの環境で体毛処理機２００を放置している状態）において固体であるが、水などを薬剤１０９に付着させることにより薬剤保持部１０２から溶け出すような物質が好ましい。これにより、外刃の使用前後においては、薬剤は薬剤保持部１０２の中で固定状態であり、体毛処理機２００を運んだ場合などにおいても薬剤保持部１０２から薬剤が落ちることはない。一方、体毛処理機２００を使用する際に肌面４１０に水を塗布するだけで薬剤が溶出し、例えば肌に対する固定刃の滑りをよくするなど薬剤の効能を発揮することが可能となる。ここで、「固体」とは、水などを吸収していない状態において体毛処理機２００を持ち運んでも薬剤保持部１０２から薬剤１０９か抜け落ちない状態を意味し、薬剤保持部１０２内で薬剤が完全に固化している場合ばかりではなく、ジェル状やゲル状などでも前記要件を満たしている場合は固体に含むものとしている。
【００５５】
［その他］
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００５６】
例えば、図８に示すように、桟部１０１は、屈曲せずに真っ直ぐでもよい。また、薬剤保持部１０２は、１つの桟部１０１の第一面部１１１に分散状態で配置されるものでもよい。また、薬剤保持部１０２の断面形状が半円形でもかまわない。
【００５７】
また、薬剤保持部１０２のＸＹ平面における形状は、桟部１０１に沿ったクランク形状や円形ばかりでなく、図９に示すように、矩形であってもかまわない。
【００５８】
また、薬剤保持部１０２は、隣り合う屈曲部の間にのみ配置されていてもかまわない。
【００５９】
また、薬剤保持部１０２の開口端縁は鋭利なものとして図示したが、薬剤保持部１０２に対しプレス加工やブラスト加工、表面研磨加工などを行い、薬剤保持部１０２の開口端縁に丸みを持たせてもかまわない。これにより、肌面４１０に対する桟部１０１の滑りが良好となり、外刃１００を肌面４１０に押し付けた場合でもその刺激を抑えることが出来る。
【００６０】
また、桟部１０１は平行に並ぶばかりでなく、放射状に並んでもかまわない。また、体毛処理機２００の体毛を剃る方式は限定されるものではなく、往復動式、回転式、ロータリー式などを例示することができ、外刃１００もこれに対応した桟部の並びや形状を採用してもかまわない。
【００６１】
また、エッジ１１３は、図において鋭利な部分として記載しているが、ある程度丸みを帯びた端縁もエッジ１１３に含まれる。
【産業上の利用可能性】
【００６２】
本発明は、髭や毛髪など体毛を剃るための体毛処理機に用いられる外刃、および、当該外刃を備えた体毛処理機に利用可能である。
【符号の説明】
【００６３】
１００  外刃
１０１  桟部
１０２  薬剤保持部
１０３  屈曲部
１０４  枠部
１０９  薬剤
１１０  刃孔
１１１  第一面部
１１２  第二面部
１１３  エッジ
２００  体毛処理機
２０１  第二外刃
２０２  本体
２０３  把持部
２０４  ヘッド部
２０５  電源スイッチ
２０６  表示部
２１０  内刃
３０１  工具
３０２  基台
３１０  先端部
４０９  体毛
４１０  肌面
【図１】
2018138157.tif 000003
【図２】
2018138157.tif 000004
【図３】
2018138157.tif 000005
【図４】
2018138157.tif 000006
【図５】
2018138157.tif 000007
【図６】
2018138157.tif 000008
【図７】
2018138157.tif 000009
【図８】
2018138157.tif 000010
【図９】
2018138157.tif 000011